(57)【要約】【課題】家具等の扉を固定する扉固定具における床側固定具を床に固定するに際して扉側固定具との間に適正な位置関係を与えることを現場作業において容易に実現させ、本来の扉固定作用を確実に発揮させる。【解決手段】起伏片２１の位置出し面２１１を扉表面に当接させると共に位置出し線（１１２）を扉木口面に合わせた状態にして位置決め型部材２０を床面２に両面テープ２３３で仮固定し、起伏片２１を第２の位置決め片２３上に折り重ねた状態にして扉を開き、第１の位置決め片２２の床側固定具収容開口２２１に床側固定具（４）を収容して位置決めする。このようにして床側固定具を床に固定した後、位置決め型部材を取り外して回収する。厚さの異なる扉に対しては第２の位置決め片２３の床側固定具収容開口２３１を用いて床側固定具を位置決めする。【選択図】図１２
2010007373.tif 000002
【特許請求の範囲】
【請求項１】
少なくとも上枠および左右縦枠を有する扉枠と床とで形成される開口部に設けられる扉の下部に取り付けられる扉側固定具と、閉止状態の扉における扉側固定具に対応する位置において床に固定される床側固定具とから構成される扉固定具の床側固定具の床に対する固定位置を決定するために用いられる型部材であって、（１）扉の表面に当接して前後方向の位置出しを行う位置出し面と、扉の表面に直交する木口面に合わせて横方向の位置出しを行う位置出し線とを備えた第１片と、（２）第１片の位置出し面側の下端から延長して床面に当接可能であり、閉止状態の扉に対して前記位置出し面を扉の表面に当接させると共に前記位置出し線を扉の前記木口面に合わせて第１片を配置したときに前記床側固定具の固定位置に応じた箇所に床側固定具を配置するための床側固定具収容開口を備えた第２片と、（３）第１片の下端から第２片と反対方向に延長して床面に固定される第３片と、を有してなり、第１片は第２片および第３片と略直角に起立する位置と第３片に重なる位置との間を起伏可能に設けられることを特徴とする扉固定具の位置決め型部材。
【請求項２】
少なくとも上枠および左右縦枠を有する扉枠と床とで形成される開口部に設けられる扉の下部に取り付けられる扉側固定具と、閉止状態の扉における扉側固定具に対応する位置において床に固定される床側固定具とから構成される扉固定具の床側固定具の床に対する固定位置を決定するために用いられる型部材であって、（１）扉の表面に当接して前後方向の位置出しを行う２つの位置出し面が両面に設けられると共に、扉の表面に直交する木口面に合わせて横方向の位置出しを行う２つの位置出し線を備えた第１片と、（２）第１片の一方の位置出し面の下端から延長して床面に当接可能であり、閉止状態の扉に対して前記一方の位置出し面を扉の表面に当接させると共に一方の位置出し線を扉の前記木口面に合わせて第１片を配置したときに前記床側固定具の固定位置に応じた箇所に床側固定具を配置するための床側固定具収容開口を備えた第２片と、（３）第１片の他方の位置出し面の下端から延長して床面に当接可能であり、閉止状態の扉に対して前記他方の位置出し面を扉の表面に当接させると共に他方の位置出し線を扉の前記木口面に合わせて第１片を配置したときに前記床側固定具の固定位置に応じた箇所に床側固定具を配置するための床側固定具収容開口を備えた第３片と、を有してなり、第２片における床側固定具収容開口と第３片における床側固定具収容開口は異なる２種類の扉厚に対応して第１片の前記一方の位置出し面および前記他方の位置出し面から異なる寸法で形成され、また、第１片は第２片および第３片と略直角に起立する位置と第２片に重なる位置と第３片に重なる位置との間を起伏可能に設けられることを特徴とする扉固定具の位置決め型部材。
【請求項３】
請求項１記載の位置決め型部材を用いて床側固定具を床に取り付ける方法であって、（１）あらかじめ下部に扉側固定具が固定された扉を扉枠に取り付け、（２）扉を閉めた状態にして、（３）位置決め型部材の第１片の前記位置出し面を扉の表面に当接させると共に第２片を扉と床面との間に差し込んで扉の反対側に突出させて床に当接させ、且つ、第３片を扉の手前側で床に当接させた状態にして位置決め型部材を配置し、（４）第１片の位置出し線を扉の表面に直交する木口面に合わせて位置決めし、（５）この状態で第３片を床に固定し、（６）床に固定した第３片に重ね合わせるように第１片を折り曲げ、（７）扉を開け、（８）第２片の床側固定具収容開口に床側固定具を配置して固定した後、（９）床に固定した第３片を取り外して位置決め型部材を取り除く、ことを特徴とする扉固定具の取付方法。
【請求項４】
請求項２記載の位置決め型部材を用いて床側固定具を床に取り付ける方法であって、（１）あらかじめ下部に扉側固定具が固定された扉を扉枠に取り付け、（２）扉を閉めた状態にして、（３）位置決め型部材の第１片のいずれか一方の位置出し面を扉の表面に当接させると共に第２片または第３片のいずれかを扉と床面との間に差し込んで扉の反対側に突出させて床に当接させ、且つ、残る第２片または第３片を扉の手前側で床に当接させた状態にして位置決め型部材を配置し、（４）第１片のいずれか一方の位置出し線を扉の表面に直交する木口面に合わせて位置決めし、（５）この状態で扉の手前側で床に当接させた第２片または第３片を床に固定し、（６）床に固定した第２片または第３片に重ね合わせるように第１片を折り曲げ、（７）扉を開け、（８）扉の反対側で床に当接している第２片または第３片の床側固定具収容開口に床側固定具を配置して固定した後、（９）床に固定した第２片または第３片を取り外して位置決め型部材を取り除く、ことを特徴とする扉固定具の取付方法。
【発明の詳細な説明】
【技術分野】
【０００１】
本発明は、家具等の扉を固定する扉固定具を床に正確且つ容易に位置決めするために用いる位置決め型部材に関する。本発明はまた、該位置決め型部材を使用して扉を床に正確且つ容易に位置決めしつつ取り付ける取付方法に関する。
【背景技術】
【０００２】
家具等の扉を固定する扉固定具としてマグネットキャッチと呼ばれるものが知られている。たとえば、下記特許文献１には、家具等の本体側に予め形成した穴にマグネットキャッチの足片を嵌入して固定し、該マグネットキャッチを扉に固定したマグネットと吸着させることにより扉を閉止状態に保持する。
【特許文献１】実願昭６１−５９４８７号（実開昭６２−１７５１７４号）に係るマイクロフィルム
【０００３】
また、下記特許文献２には収納用開閉扉の下部戸当たり装置において、床面と略同一面に設けられる下枠における所定箇所に戸当たりをスプリング作用で出没可能に埋設することが記載されている。
【特許文献２】特開２００１−１７３３０８
【発明の開示】
【発明が解決しようとする課題】
【０００４】
特許文献１に記載されるマグネットキャッチのような扉固定具は、扉の裏面下部に固定される扉側固定具と、床に固定される床側固定具とから構成され、扉を閉めたときに床側固定具が扉側固定具に確実に吸着されるような位置関係で固定しなければならない。
【０００５】
一般に、このような扉固定具は、あらかじめ扉側固定具が固定された扉を扉枠に取り付けた後、現場にて床側固定具を床に固定することによって施工されるが、床に対する床側固定具の固定位置は目測によって行われていたのが実情である。このため、扉側固定具と床側固定具との間の相対的位置関係にずれが生じ、扉を固定する作用が十分に発揮されなかったり、あるいは扉が完全に閉止しきっていない状態で固定されてしまうと言った不具合が生ずることがあった。
【０００６】
特許文献２に示される戸当たりは扉固定具を構成するものではなく、また床に固定されるものでもないが、扉閉止状態において扉との関係で適正な位置に固定しなければならない点においては、扉固定具における床側固定具と共通の事情を抱えている。しかしながら、特許文献２に示されるような両開き扉の場合は、片側の扉を開けた状態にして他方の扉を閉めておいて、該閉止状態の扉を基準として床側固定具を位置決めすることができるので、目測であっても正確な位置決めを行うことが比較的容易である。ところが、片開き扉の場合には、床側固定具を取り付ける際に基準とすべき閉止状態の扉が存在しないので、目測での位置決めが不正確になりがちである。
【０００７】
図１５は従来公知のマグネットキャッチが取り付けられた状態を示す。このマグネットキャッチは、扉枠６に設けられる扉１の下部に取り付けられる扉側固定具３がマグネット収容部３ａとツメ部３ｂとを有してなり、床側固定具４が閉めた状態の扉面１ｂから所定距離離れた位置において床２にネジ５で取り付けられる台座４ａとこの台座４ａに出没自在に埋設される金属プレート４ｂとを有してなる。扉１が閉止位置に近づくと、扉側固定具３のマグネット収容部３ａに収容されるマグネットに吸着されて床側固定具４の金属プレート４ｂが起立し、扉側固定具３のツメ部３ｂに噛み合って扉１を閉止位置に保持する。このような構成のマグネットキャッチにおいては、床側固定具４の取付位置を現場で正確に把握することは困難であり、特に片開き扉を開いた状態にして目視にて正確な位置決めを行うことは至難である。
【０００８】
このような場合であっても、たとえば設計図上で任意に設定した基準点に対して床側固定具を取り付けるべき位置の座標を計測しておいて、施工時に該基準点および座標に基づいて位置出しを行うことは可能であるが、時間と手間を要し、実際に現場作業でこのようなことが行われることはほとんど期待できない。
【０００９】
したがって、本発明が解決しようとする課題は、家具等の扉を固定する扉固定具における床側固定具を床に固定するに際して扉側固定具との間に適正な位置関係を与えることを現場作業において容易に実現させ、本来の扉固定作用を確実に発揮させることである。
【課題を解決するための手段】
【００１０】
上記の課題を達成するため、請求項１に係る本発明は、少なくとも上枠および左右縦枠を有する扉枠と床とで形成される開口部に設けられる扉の下部に取り付けられる扉側固定具と、閉止状態の扉における扉側固定具に対応する位置において床に固定される床側固定具とから構成される扉固定具の床側固定具の床に対する固定位置を決定するために用いられる型部材であって、（１）扉の表面に当接して前後方向の位置出しを行う位置出し面と、扉の表面に直交する木口面に合わせて横方向の位置出しを行う位置出し線とを備えた第１片と、（２）第１片の位置出し面側の下端から延長して床面に当接可能であり、閉止状態の扉に対して前記位置出し面を扉の表面に当接させると共に前記位置出し線を扉の前記木口面に合わせて第１片を配置したときに前記床側固定具の固定位置に応じた箇所に床側固定具を配置するための床側固定具収容開口を備えた第２片と、（３）第１片の下端から第２片と反対方向に延長して床面に固定される第３片と、を有してなり、第１片は第２片および第３片と略直角に起立する位置と第３片に重なる位置との間を起伏可能に設けられることを特徴とする扉固定具の位置決め型部材である。
【００１１】
請求項２に係る本発明は、少なくとも上枠および左右縦枠を有する扉枠と床とで形成される開口部に設けられる扉の下部に取り付けられる扉側固定具と、閉止状態の扉における扉側固定具に対応する位置において床に固定される床側固定具とから構成される扉固定具の床側固定具の床に対する固定位置を決定するために用いられる型部材であって、（１）扉の表面に当接して前後方向の位置出しを行う２つの位置出し面が両面に設けられると共に、扉の表面に直交する木口面に合わせて横方向の位置出しを行う２つの位置出し線を備えた第１片と、（２）第１片の一方の位置出し面の下端から延長して床面に当接可能であり、閉止状態の扉に対して前記一方の位置出し面を扉の表面に当接させると共に一方の位置出し線を扉の前記木口面に合わせて第１片を配置したときに前記床側固定具の固定位置に応じた箇所に床側固定具を配置するための床側固定具収容開口を備えた第２片と、（３）第１片の他方の位置出し面の下端から延長して床面に当接可能であり、閉止状態の扉に対して前記他方の位置出し面を扉の表面に当接させると共に他方の位置出し線を扉の前記木口面に合わせて第１片を配置したときに前記床側固定具の固定位置に応じた箇所に床側固定具を配置するための床側固定具収容開口を備えた第３片と、を有してなり、第２片における床側固定具収容開口と第３片における床側固定具収容開口は異なる２種類の扉厚に対応して第１片の前記一方の位置出し面および前記他方の位置出し面から異なる寸法で形成され、また、第１片は第２片および第３片と略直角に起立する位置と第２片に重なる位置と第３片に重なる位置との間を起伏可能に設けられることを特徴とする扉固定具の位置決め型部材である。
【００１２】
請求項３に係る本発明は、請求項１記載の位置決め型部材を用いて床側固定具を床に取り付ける方法であって、（１）あらかじめ下部に扉側固定具が固定された扉を扉枠に取り付け、（２）扉を閉めた状態にして、（３）位置決め型部材の第１片の前記位置出し面を扉の表面に当接させると共に第２片を扉と床面との間に差し込んで扉の裏面側に突出させて床に当接させ、且つ、第３片を扉の手前側で床に当接させた状態にして位置決め型部材を配置し、（４）第１片の位置出し線を扉の表面に直交する木口面に合わせて位置決めし、（５）この状態で第３片を床に固定し、（６）床に固定した第３片に重ね合わせるように第１片を折り曲げ、（７）扉を開け、（８）第２片の床側固定具収容開口に床側固定具を配置して固定した後、（９）床に固定した第３片を取り外して位置決め型部材を取り除く、ことを特徴とする。  
【００１３】
請求項４に係る本発明は、請求項２記載の位置決め型部材を用いて床側固定具を床に取り付ける方法であって、（１）あらかじめ下部に扉側固定具が固定された扉を扉枠に取り付け、（２）扉を閉めた状態にして、（３）位置決め型部材の第１片のいずれか一方の位置出し面を扉の表面に当接させると共に第２片または第３片のいずれかを扉と床面との間に差し込んで扉の裏面側に突出させて床に当接させ、且つ、残る第２片または第３片を扉の手前側で床に当接させた状態にして位置決め型部材を配置し、（４）第１片のいずれか一方の位置出し線を扉の表面に直交する木口面に合わせて位置決めし、（５）この状態で扉の手前側で床に当接させた第２片または第３片を床に固定し、（６）床に固定した第２片または第３片に重ね合わせるように第１片を折り曲げ、（７）扉を開け、（８）扉の反対側で床に当接している第２片または第３片の床側固定具収容開口に床側固定具を配置して固定した後、（９）床に固定した第２片または第３片を取り外して位置決め型部材を取り除く、ことを特徴とする。
【発明の効果】
【００１４】
請求項１および請求項３に係る本発明によれば、扉を閉めた状態にして、第１片の位置決め面を扉表面に当てると共に位置決め線を扉表面に直交する木口に合わせた状態にして第３片を床に固定するだけで、型部材の位置決めを容易に行うことができる。
【００１５】
このようにして位置決めされた型部材の第１片を第３片に重ね合わせるように折り曲げることにより扉を開くことができるので、扉を開けた状態にして、第２片に形成された床側固定具収容開口に床側固定具を収容・固定することができ、床側固定具を適正位置に正確且つ容易に固定することができる。床側固定具収容開口は床側固定具の平面形状に合致した寸法および形状に形成されるので、床側固定具を適正位置に安定して配置することができる。
【００１６】
また、請求項２および請求項４に係る本発明によれば、上記と同様の効果が得られることに加えて、一つの型部材で２種類の異なる厚さの扉に対して床側固定具を適正位置に正確且つ容易に位置決め固定することができ、汎用性が高い。
【発明を実施するための最良の形態】
【００１７】
図１〜図３は本発明の一実施例による扉固定具の位置決め型部材を示す。この位置決め型部材１０は、起伏片１１と、位置決め片１２と、固定片１３とを有する。
【００１８】
この位置決め型部材１０は、図４に示すような横長方形状の厚紙１０’に３本の折り曲げ線１４ａ〜１４ｃを設け、中央の折り曲げ線１４ａで山折りしてその両側の領域１１ａ，１１ｂを接着剤で貼り合わせて起伏片１１とすると共に、折り曲げ線１４ｂ，１４ｃで谷折りして位置決め片１２および固定片１３とすることにより形成される。厚紙１０’の厚さｔは、扉下端と床面との間の隙間ｓとの間で３ｔ≦ｓとなるような寸法関係に設定される。
【００１９】
起伏片１１は、折り曲げ線１４ａ，１４ｃを介して、図１〜図３に示すように位置決め片１２および固定片１３に対して直立する起立状態を取り得ると共に、固定片１３に重ね合わさるように折り曲げ可能である。
【００２０】
起伏片１１の寸法や形状は扉表面１ａに対する位置決め作業を行うのに支障のないものであれば良い。たとえば方形状であれば縦辺３０．０ｍｍ×横辺３０．０ｍｍ程度以上の大きさがあれば良く、好適な一例として縦辺７５．５ｍｍ×横辺７０．０ｍｍの方形状である。
【００２１】
後述するように、起伏片１１の一側面は扉表面１ａに当接して前後方向の位置出しを行うための位置出し面１１１として働き、その一側縁は扉表面１ａに直交する木口面に合わせて横方向の位置出しを行うための位置出し線１１２として働く。
【００２２】
位置決め片１２は、起伏片１１の位置出し面１１１側の下端から折り曲げ線１４ｂで折り曲げられて水平に延長する。位置決め片１２には、この位置決め型部材１０を用いて位置決めしようとする扉固定具の床側固定具を収容固定するための床側固定具収容開口１２１が切り抜き形成されている。この床側固定具収容開口１２１の大きさおよび形状は該床側固定具の平面形状と略同一に形成されており、たとえば直径３３ｍｍの円形状の床側固定具であれば、これと同一の直径３３ｍｍの円形状に切り抜くことにより床側固定具収容開口１２１が形成される。位置決め片１２の寸法や形状は任意であるが、床側固定具収容開口１２１を形成しても必要な強度を確保できることが必要であり、好適な一例として縦辺７５．５ｍｍ×横辺７０．０ｍｍの方形状である。
【００２３】
位置決め片１２における床側固定具収容開口１２１の形成位置について図５を参照して説明する。まず、図１５を参照して既述したような適正位置に直径Ｄの円形状の床側固定具４を床２に固定するときの扉裏面１ｂから床側固定具４の中心までの距離ｄと、扉側固定具３が固定される側の扉１の木口面１ｃから床側固定具４の中心までの距離Ｗをあらかじめ計測しておく。扉１の木口面１ｃが面取り１ｄされているときは、面取り１ｄを無視して本来の木口面１ｃを基準として距離Ｗを計測する。そして、起伏片１１の位置出し面１１１から床側固定具収容開口１２１の中心までの距離Ｌ１から扉１の厚さｔ１を減じた寸法（Ｌ１−ｔ１）が扉裏面１ｂから床側固定具４の中心までの距離ｄと等しくなり、且つ、起伏片１１の位置出し線１１２から床側固定具収容開口１２１の中心までの距離が木口面１ｃから床側固定具４の中心までの距離Ｗと等しくなるように、床側固定具４と同一の直径Ｄの円形状に切り抜くことにより、床側固定具収容開口１２１を形成する。
【００２４】
なお、図１５に関する既述から明らかなように、床側固定具４の固定に際しては金属プレート４ｂが扉側固定具３のツメ部３ｂと噛み合うように所定の向きで固定しなければならないので、この所定の向きを示す床側固定具設置方向指示線を位置決め片１２に表示しておくことが好ましい。たとえば、図１および図２に示すように、金属プレート４ｂの幅（ないし金属プレート４ｂを嵌め込むために台座４ａの表面に形成される凹部の両縁）に沿って床側固定具設置方向指示線１２２が表示される。
【００２５】
位置決め片１２の形状や寸法は限定的ではないが、上記の所定位置に所定形状・寸法の床側固定具収容開口１２１を形成することを可能にする形状・寸法を有することが必要である。
【００２６】
固定片１３は、起伏片１１の位置出し面１１１とは反対側の下端から折り曲げ線１４ｃで折り曲げられて水平に延長する。固定片１３の形状や寸法は限定的ではなく、床２に対する位置決めおよび固定を確実に行うことができる程度のものであれば良い。一例として、縦辺３０．０ｍｍ×横辺７０．０ｍｍの方形状であって良い。
【００２７】
固定片１３の裏面には任意に両面テープ１３１が設けられる。図１〜図４には示されていないが、図５に示されるように、位置決め片１２の裏面にも任意に両面テープ１２３が設けられて良い。
【００２８】
なお、この実施例では起伏片１１の一側縁を位置出し線１１２として扉の一側縁の木口面１ｃに合わせるようにしているが、他側縁１１３を扉の他側縁の木口面に合わせる位置出し線として用いても良い。このようにすると、扉１の開き方向に応じて位置出し線１１２，１１３のいずれか一方を用いることにより位置決め型部材１０を両方向の片開き扉に共用することが可能となる。この場合は、少なくとも位置決め片１２を長手方向中心線Ｘに対して左右対称に構成する必要があり、したがってその幅寸法を木口面１ｃから床側固定具４の中心までの距離Ｗの２倍の寸法として、その幅中心に床側固定具収容開口１２１の中心が位置するように該床側固定具収容開口１２１を形成する。
【００２９】
図６〜図８は本発明の別の実施例による扉固定具の位置決め型部材を示す。この位置決め型部材２０は、起伏片２１と、第１の位置決め片２２と、第２の位置決め片２３とを有する。この位置決め型部材２０も、既述実施例による位置決め型部材１０と略同様にして厚紙を折り曲げ・貼り合わせて形成可能である。
【００３０】
起伏片２１は、図６〜図８に示すように第１および第２の位置決め片２２，２３に対して直立する起立状態を取り得ると共に、これら位置決め片２２，２３に重ね合わさるように両方向に折り曲げ可能である。
【００３１】
起伏片２１の寸法や形状は扉表面１ａに対する位置決め作業を行うのに支障のないものであれば良い。たとえば方形状であれば縦辺３０．０ｍｍ×横辺３０．０ｍｍ程度以上の大きさがあれば良く、好適な一例として縦辺７５．５ｍｍ×横辺７０．０ｍｍの方形状である。
【００３２】
後述するように、起伏片２１の両側面は扉表面１ａに当接して前後方向の位置出しを行うための位置出し面２１１，２１２として働き、その一側縁は位置出し面２１１を扉表面１ａに当接させたときに扉表面１ａに直交する一側縁木口面に合わせて横方向の位置出しを行うための位置出し線２１３として働き、他側縁は位置出し面２１２を扉表面１ａに当接させたときに扉表面１ａに直交する他側縁木口面に合わせて横方向の位置出しを行うための位置出し線２１４として働く。
【００３３】
第１の位置決め片２２は、起伏片２１の位置出し面２１１側の下端から折り曲げられて水平に延長する。第１の位置決め片２２には、この位置決め型部材２０を用いて位置決めしようとする扉固定具の床側固定具を収容固定するための床側固定具収容開口２２１が切り抜き形成されている。この床側固定具収容開口２２１の大きさおよび形状は該床側固定具の平面形状と略同一に形成されており、たとえば直径３３ｍｍの円形状の床側固定具であれば、これと同一の直径３３ｍｍの円形状に切り抜くことにより床側固定具収容開口２２１が形成される。また、床側固定具を所定の向きで固定する作業を容易にするための床側固定具設置方向指示線２２２が表示されている。裏面には第１の位置決め片２２を床面に固定するための両面テープ２２３が設けられている。
【００３４】
第２の位置決め片２３は、起伏片２１の位置出し面２１２側の下端から折り曲げられて水平に延長する。第２の位置決め片２３には、この位置決め型部材２０を用いて位置決めしようとする扉固定具の床側固定具を収容固定するための床側固定具収容開口２３１が切り抜き形成されている。この床側固定具収容開口２３１の大きさおよび形状は該床側固定具の平面形状と略同一に形成されており、たとえば直径３３ｍｍの円形状の床側固定具であれば、これと同一の直径３３ｍｍの円形状に切り抜くことにより床側固定具収容開口２３１が形成される。また、床側固定具を所定の向きで固定する作業を容易にするための床側固定具設置方向指示線２３２が表示されている。裏面には第１の位置決め片２３を床面に固定するための両面テープ２３３が設けられている。
【００３５】
第１および第２の位置決め片２２，２３の寸法や形状は任意であるが、床側固定具収容開口２２１，２３１を形成しても必要な強度を確保できることが必要であり、好適な一例としていずれも縦辺７５．５ｍｍ×横辺７０．０ｍｍの方形状である
このように第１の位置決め片２２と第２の位置決め片２３は略同一の構成を有しているが、床側固定具収容開口２２１，２３１の形成位置が異なっており、より詳しくは起伏片２１から床側固定具収容開口２２１，２３１の中心までの距離が扉１の厚さに応じて異なるような位置に形成している。
【００３６】
この点について図９を参照して説明する。第１の位置決め片２２に形成される床側固定具収容開口２２１は、ｔ１の厚さを有する扉１の裏面１ｂに取り付けた扉側固定具に対して図１５を参照して既述したような適正位置に直径Ｄの円形状の床側固定具４を床２に固定するために用いるものであり、扉裏面１ｂから床側固定具４の中心までの距離ｄと、扉側固定具３が固定される側の扉１の木口面１ｃから床側固定具４の中心までの距離Ｗをあらかじめ計測しておく。扉１の木口面１ｃが面取り１ｄされているときは、面取り１ｄを無視して本来の木口面１ｃを基準として距離Ｗを計測する。
【００３７】
そして、第１の位置決め片２２において、起伏片２１の位置出し面２１１から床側固定具収容開口２２１の中心までの距離Ｌ１から扉１の厚さｔ１を減じた寸法（Ｌ１−ｔ１）が扉裏面１ｂから床側固定具４の中心までの距離ｄと等しくなり、且つ、起伏片２１の位置出し線２１３から床側固定具収容開口２２１の中心までの距離が木口面１ｃから床側固定具４の中心までの距離Ｗと等しくなるように、床側固定具４と同一の直径Ｄの円形状に切り抜くことにより、床側固定具収容開口２２１を形成する（図９（ａ））。
【００３８】
また、第２の位置決め片２３に形成される床側固定具収容開口２３１は、ｔ２（ｔ２＜ｔ１）の厚さを有する扉１’の裏面１’ｂに取り付けた扉側固定具に対して図１５を参照して既述したような適正位置に直径Ｄの円形状の床側固定具４を床２に固定するために用いるものであり、起伏片２１の位置出し面２１２から床側固定具収容開口２３１の中心までの距離Ｌ２から扉１の厚さｔ２を減じた寸法（Ｌ２−ｔ２）が扉裏面１’ｂから床側固定具４の中心までの距離ｄと等しくなり、且つ、起伏片２１の位置出し線２１４から床側固定具収容開口２３１の中心までの距離が木口面１’ｃから床側固定具４の中心までの距離Ｗと等しくなるように、床側固定具４と同一の直径Ｄの円形状に切り抜くことにより、床側固定具収容開口２３１を形成する（図９（ｂ））。
【００３９】
したがって、この実施例における第１および第２の位置決め片２２，２３は長手方向中心線Ｘに対して左右対称に構成されており、その幅寸法は木口面１ｃ，１’ｃから床側固定具４の中心までの距離Ｗの２倍の寸法とされ、その幅中心に床側固定具収容開口２２１，２３１の中心が位置するように該床側固定具収容開口２２１，２３１が形成される。
【００４０】
次に、図１０〜図１４を参照して、実施例２の位置決め型部材２０を用いて床側固定具４を床２に位置決め固定する取付方法について説明する。なお、この床側固定具４は図１５を参照して既述した従来公知のものと実質的に同一であり、扉１の下部にあらかじめ取り付けられている扉側固定具３と共に用いられる。また、この取付方法では実施例２の位置決め型部材２０を用いているが、実施例１の位置決め型部材１０を用いた場合の取付方法も以下の説明から当業者には容易に理解することができるであろう。
【００４１】
図１０はこの取付方法において、あらかじめ扉側固定具３が扉１の裏面１ｂ側に取り付けられており、この扉１が扉枠６に設けられているものに対して、扉１を閉めた状態にして、位置決め型部材２０を第１の位置決め片２２を扉１側にして床２上に配置した準備段階を示している。このとき、第１および第２の位置決め片２２，２３の裏面に設けられる両面テープ２２３，２３３はまだ剥離紙（図示せず）に被覆されていて粘着層が露出していない状態に維持されている。
【００４２】
この状態から位置決め型部材２０を床面２上を滑らせるようにして図１０矢印Ａ方向に移動させ、扉１下端と床面２との間の隙間７に潜り込ませ、起伏片２１の位置出し面２１１を扉表面１ａに当接させると共に、位置出し線２１３を扉木口面１ｃと一直線上に並ぶように合わせる。この状態が図１１および図１２に示されている。この位置において、第２の位置決め片２３の裏面に設けられる両面テープ２３３の剥離紙を剥がして床面２に位置決め型部材２０を仮固定する。
【００４３】
この状態から、図１３に示すように、起伏片２１を矢印Ｂ方向に折り曲げて第２の位置決め片２３上に重ね合わせる。既述したように、扉下端から床面までの隙間７の寸法ｓは、位置決め型部材２０を作製する厚紙１０’（図４）の厚さｔとの関係において３ｔ≦ｓとなるように設定されており、したがって起伏片２１（厚さ＝２ｔ）と第２の位置決め片２３（厚さ＝ｔ）を重ね合わせた状態（合計厚さ＝３ｔ）にしても、扉１を開けることができる。このようにして扉１を開けた状態が図１３に示されている。
【００４４】
そして、この扉１を開けた状態にして、第１の位置決め片２２の床側固定具収容開口２２１に床側固定具４を収容配置する（図１４）。既述したように、床側固定具収容開口２２１は床側固定具４の平面形状および寸法と略同一の形状および寸法を有しており、且つ、起伏片２１の位置出し面２１１を厚さｔ１の扉表面１ａに当接させると共に位置出し線２１３を同扉１の開き側木口面１ｃに合わせたときに床側固定具収容開口２２１が床側固定具４を配置すべき位置に合致するように設定されているので、このようにして床側固定具４を配置することにより正確な位置決めが可能となる。そして、床側固定具収容開口２２１に収容配置した床側固定具４をネジ５で床２に固定する（図１５参照）。この作業は扉１を開けた状態で行うことができるので、扉１が邪魔にならず、容易に行うことができる。なお、図１４では起伏片２１を起立させた状態が示されているが、この時点では両面テープ２３３により位置決め型部材２０が床２に対して仮固定していて位置ずれを生ずることがないので、起伏片２１は図１３のように第２の位置決め片２３上に重ね合わせた状態のままにしておいても良い。
【００４５】
以上のようにして床側固定具４の取付作業が終了した後、両面テープ２３３を剥がして位置決め型部材２０を回収する。
【００４６】
以上においては第１の位置決め片２２の床側固定具収容開口２２１を用いて厚さｔ１の扉１に対して床側固定具４を適正位置に位置決めする方法について説明したが、厚さｔ２の扉１’に対して床側固定具４を適正位置に位置決めする場合は、位置決め型部材２０を第２の位置決め片２３を扉１’側にして床２上に配置して、上記と同様にして作業を行えば良い。
【００４７】
以上に本発明について図示実施例を参照して詳述したが、本発明はこれら実施例に限定されることなく、特許請求の範囲に記載された発明の範囲内において種々の変形態様を取り得るものである。たとえば、位置決め型部材の材質は図示実施例のように厚紙から形成することができるが、紙、合成樹脂板、合成樹脂シート、金属板、金属シート、これらを任意に複合した複合板などを用いても良い。位置決め型部材の材質として要求されることは、位置決め型部材を用いて行う床側固定具の取付作業において容易には変形や位置ずれを生じない程度の強度を有することと、扉の開閉を許容するために起伏片を一方向（第１実施例）または両方向（第２実施例）に折り曲げ可能であることである。位置決め型部材をＰＥＴなどの合成樹脂で作製する場合は、起伏片を折り曲げ可能にするために他の片との境界部（起伏片の下端部）に可撓性材料を配しても良い。また、位置決め型部材の使用方法などについての説明を各片の表面などに表示しても良い。
【００４８】
また、本発明の位置決め型部材を用いて位置決めしようとする扉固定具は、扉に対して所定位置において床に固定される床側固定具であって、扉側固定具と共に用いることにより扉を閉止状態に保持する機能を有するものであるが、扉固定具自体の構成や材質などは本発明において限定的ではなく、木質製、合成樹脂製、金属製など任意の材質からなるものであって良く、また、マグネットの磁力で吸着する構成のもののほか、たとえば扉側固定具または床側固定具の一方に凸部、他方に凹部を設けてそれらを嵌合させることにより扉を閉止状態に保持する構成のものであっても良い。
【００４９】
また、本発明の位置決め型部材は、上下枠および左右縦枠を有する四方枠で形成される開口部に扉を開閉可能に設けた家具などにおいて、床側固定具を下枠に固定する場合の位置決めに用いることもできる。すなわち、上記記載における「床」は「下枠」を含む概念として理解される。
【図面の簡単な説明】
【００５０】
【図１】本発明の一実施例による位置決め型部材を示す斜視図である。
【図２】この型部材の断面図である。
【図３】この型部材の平面図である。
【図４】この型部材を作製するための厚紙の展開図である。
【図５】この型部材の位置決め片における床側固定具収容開口の形成位置を説明するための平面図である。
【図６】本発明の別の実施例による位置決め型部材を示す斜視図である。
【図７】この型部材の断面図である。
【図８】この型部材の平面図である。
【図９】この型部材の第１および第２の位置決め片における床側固定具収容開口の形成位置を説明するための平面図である。
【図１０】図６〜図９に示す実施例による位置決め型部材を用いて床側固定具を床に位置決め固定する取付方法の準備段階を示す説明図である。
【図１１】同取付方法において位置決め型部材を扉に対して位置決めした状態を示す扉表面側からの正面図（ａ）および平面図（ｂ）である。
【図１２】図１１と同じ状態の側面図である。
【図１３】図１１および図１２に示す状態から起伏片を第２の位置決め片に折り重ねて扉を開けた状態を示す側面図である。
【図１４】図７の状態において床側固定具を配置した状態を示す側面図である。
【図１５】従来公知のマグネットキャッチが取り付けられた状態を示す説明図である。
【符号の説明】
【００５１】
１，１’  扉
１ａ，１’ａ  扉の表面
１ｂ，１’ｂ  扉の裏面
１ｃ，１’ｃ  扉の木口面
２  床（床面）
３  扉側固定具
４  床側固定具
５  ネジ
６  扉枠
７  隙間
１０  位置決め型部材
１１  起伏片（第１片）
１１１  位置出し面
１１２，１１３  位置出し線
１２  位置決め片（第２片）
１２１  床側固定具収容開口
１２２  床側固定具設置方向指示線
１２３  両面テープ
１３  固定片（第３片）
１３１  両面テープ
２０  位置決め型部材
２１  起伏片（第１片）
２１１，２１２  位置出し面
２１３，２１４  位置出し線
２２  第１の位置決め片（第２片）
２２１  床側固定具収容開口
２２２  床側固定具設置方向指示線
２２３  両面テープ
２３  第２の位置決め片（第３片）
２３１  床側固定具収容開口
２３２  床側固定具設置方向指示線
２３３  両面テープ
【図１】
2010007373.tif 000003
【図２】
2010007373.tif 000004
【図３】
2010007373.tif 000005
【図４】
2010007373.tif 000006
【図５】
2010007373.tif 000007
【図６】
2010007373.tif 000008
【図７】
2010007373.tif 000009
【図８】
2010007373.tif 000010
【図９】
2010007373.tif 000011
【図１０】
2010007373.tif 000012
【図１１】
2010007373.tif 000013
【図１２】
2010007373.tif 000014
【図１３】
2010007373.tif 000015
【図１４】
2010007373.tif 000016
【図１５】
2010007373.tif 000017